(57)【要約】【課題】降車駅および出口案内をＧＰＳを用いることなく行える出口案内システムおよび出口案内方法を提供する。【解決手段】駅を特定するための駅特定情報と、前記駅特定情報に該当する駅の出口を特定するための出口情報とを乗車券に対して書き込む乗車券取扱い装置と、駅特定情報と、この駅の出口情報とを記憶する記憶部と、前記乗車券に書き込まれた駅特定情報および出口情報を読み取る読取り手段と、前記読み取られた駅特定情報および出口情報と、前記記憶部に記憶された駅特定情報および出口情報とを比較して差異の有無を判定する判定手段と、前記判定手段が差異を有すると判定した場合に、差異が生じたことを報知する報知手段とを有する改札装置とを具備することを特徴とする。【選択図】図１
2008250895.tif 000002
【特許請求の範囲】
【請求項１】
駅を特定するための駅特定情報と、前記駅特定情報に該当する駅の出口を特定するための出口情報とを乗車券に対して書き込む乗車券取扱い装置と、
駅特定情報と、この駅の出口情報とを記憶する記憶部と、前記乗車券に書き込まれた駅特定情報および出口情報を読み取る読取り手段と、前記読み取られた駅特定情報および出口情報と、前記記憶部に記憶された駅特定情報および出口情報とを比較して差異の有無を判定する判定手段と、前記判定手段が差異を有すると判定した場合に、差異が生じたことを報知する報知手段とを備える改札装置と
を具備することを特徴とする出口案内システム。
【請求項２】
前記改札装置が、前記報知手段による報知の有無を切替える切替手段をさらに備えることを特徴とする請求項１記載の出口案内システム。
【請求項３】
前記改札装置が、前記乗車券に書き込まれた駅特定情報および出口情報を消去する手段をさらに備えることを特徴とする請求項１または２記載の記載の出口案内システム。
【請求項４】
前記乗車券取扱い装置が、前記乗車券に駅特定情報および出口情報を書き込む際に、前記読取り手段による前記駅特定情報および出口情報の有無を判定するための情報有無情報を書き込む手段をさらに備え、前記改札装置が、前記乗車券取扱い装置が書き込んだ前記情報有無情報を前記駅特定情報および出口情報が無いことを示す情報に書き換える書き換え手段をさらに備えることを特徴とする請求項１記載または２記載の出口案内システム。
【請求項５】
駅を特定するための駅特定情報と、前記駅特定情報に該当する駅の出口を特定するための出口情報とを乗車券に対して書き込むステップと、
前記乗車券に書き込まれた駅特定情報および出口情報を読み取るステップと、
前記読み取られた駅特定情報および出口情報と、記憶部に記憶された駅特定情報および出口情報とを比較して差異の有無を判定するステップと
前記判定の結果、差異を有すると判定された場合に、差異が生じたことを報知するステップとを具備することを特徴とする出口案内方法。
【発明の詳細な説明】
【技術分野】
【０００１】
本発明は、出口案内システムおよび出口案内方法に関する。
【背景技術】
【０００２】
従来、ＩＣチップを備え、電車の乗車券として機能する携帯端末が知られている。このような携帯端末において、ＧＰＳ機能を有し、ＧＰＳを利用して降車駅および出口案内をおこなう技術が公開されている（例えば、特許文献１参照）。
【特許文献１】特開２００６−３２３６５６号公報
【発明の開示】
【発明が解決しようとする課題】
【０００３】
しかしながら、ＧＰＳを用いた降車駅および出口の案内は専用のアプリケーションが必要であり使い勝手がよくない場合もあった。例えば、アプリケーションのダウンロード、アプリケーションの起動などにはある程度の携帯端末に対する知識が必要である。
上記に鑑み、本発明は、降車駅および出口案内をＧＰＳを用いることなく行える出口案内システムおよび出口案内方法を提供することを目的とする。
【課題を解決するための手段】
【０００４】
本発明の一態様に係る出口案内システムは駅を特定するための駅特定情報と、前記駅特定情報に該当する駅の出口を特定するための出口情報とを乗車券に対して書き込む乗車券取扱い装置と、駅特定情報と、この駅の出口情報とを記憶する記憶部と、前記乗車券に記憶された駅特定情報および出口情報を読み取る読取り手段と、前記読み取られた駅特定情報および出口情報と、前記記憶部に記憶された駅特定情報および出口情報とを比較して差異の有無を判定する判定手段と、前記判定手段が差異を有すると判定した場合に、差異が生じたことを報知する報知手段とを有する改札装置とを具備することを特徴とする。
【０００５】
本発明の一態様に係る出口案内方法は、駅を特定するための駅特定情報と、前記駅特定情報に該当する駅の出口を特定するための出口情報とを乗車券に対して書き込むステップと、前記乗車券に書き込まれた駅特定情報および出口情報を読み取るステップと、前記読み取られた駅特定情報および出口情報と、記憶部に記憶された駅特定情報および出口情報とを比較して差異の有無を判定するステップと前記判定の結果差異を有すると判定された場合に、差異が生じたことを報知するステップとを具備することを特徴とする。
【発明の効果】
【０００６】
本発明によれば、ＧＰＳを用いることなく降車駅および出口案内を行える。
【発明を実施するための最良の形態】
【０００７】
以下、図面を参照して、本発明の実施の形態を詳細に説明する。
図１は本発明の一実施形態に係る出口案内システム１を表す概念図である。
【０００８】
出口案内システム１は、乗車券取扱い装置１１、自動改札装置１２、ホストコンピュータ２０を有する。ホストコンピュータ２０などは、それぞれの駅に一台または複数台設置される。これら装置は、例えばＬＡＮ（ローカルエリアネットワーク）などで接続されている。
出口案内システム１を利用する際は乗車券としてのＩＣカード式の乗車券１３を用いる。
【０００９】
ホストコンピュータ２０は制御部２１、通信インターフェース２２、データベース２３を備える。
ホストコンピュータ２０の制御部２１は通信インターフェース２２を介して自動改札装置１２に種々の初期情報を送信する。この初期情報は時間制限情報、駅情報、出口情報である。
「時間制限情報」は後述する自動改札装置１２の出口案内の是非を制限する出口非案内時間および自動改札装置１２が備える時計部を一律にするための基準時間情報である。「駅情報」は自動改札装置１２が何処の駅に設置されているかを特定するための情報である。「出口情報」は自動改札装置１２が設置された駅の出口を特定するための情報である。
【００１０】
次に図２〜図６を用いて以上のように構成された出口案内システム１を構成する各装置について説明する。図２は乗車券取扱い装置１１の構成を示すブロック図である。
図３は乗車券１３の構成を示す概念図である。図４は乗車券１３に書き込まれる情報の中で特に自動改札装置１２よって比較判定される情報についての説明である。すなわち図４は乗車券１３に書き込まれる情報の一部を示す概念図である。
図５は自動改札装置１２の構成を示すブロック図である。図６は自動改札装置１２ａ、１２ｂ、１２ｃが記憶する情報を示す概念図である。
【００１１】
乗車券取扱い装置１１は使用者５０が所望する駅およびこの駅の出口を目的駅情報として乗車券１３へ書き込む装置である。従って目的駅情報とは駅およびこの駅の出口を特定するための情報である。
乗車券取扱い装置１１は、乗車券処理部１１１、入力部１１２、表示部１１３、データ書込部１１４を備え、乗車券１３への目的駅情報の書き込みを行う。
【００１２】
乗車券処理部１１１は、入力部１１２、表示部１１３、データ書込部１１４の制御を行う。
入力部１１２は、使用者５０の所望の駅の入力などに用いる入力装置、例えば、キースイッチ、タッチパネルである。表示部１１３は使用者５０が所望する目的駅情報などを表示するための表示装置である。
【００１３】
データ書込部１１４は、乗車券１３に目的駅情報および、この目的駅情報が書き込まれたかどうかの有無を判定するための情報有無情報である目的駅情報有無情報を書き込むための装置である。
この書き込みは接触、非接触の何れでもよい。非接触の場合は、乗車券１３をデータ書込部１１４にかざすことで目的駅情報を書き込むことができる。
データ書込部１１４の乗車券への書き込みは、目的駅情報有無情報の「有」「無」の書き換えおよびまたは目的駅情報の記録または消去である。
【００１４】
使用者５０の所望する駅および出口がＢ駅の西口だった場合、乗車券１３には乗車券取扱い装置１１によって、目的駅がＢ駅かつ出口情報が西口であることが書き込まれる。
またこのとき、目的駅情報有無情報が「有」として書き込まれる。
なおこれらの情報は実質的には英数字の組み合わせなどからなる所定のコード情報である。
【００１５】
乗車券１３は、記憶部１３１、カード基材の表面に回巻して形成されたアンテナ１３２、制御部１３３などを備えている。
記憶部１３１と制御部１３３はＩＣチップとして一体形成されている。
記憶部１３１は書き換え可能な情報が電気的に書き込まれるフラッシュメモリである。記憶部１３１には、通行履歴情報、カードＩＤ番号等のカード固有の識別情報と、プリペイド金額情報（支払い可能な残額情報）、目的駅情報有無情報、目的駅情報などがカード情報として書き込まれる。
【００１６】
通行履歴情報には、入場および出場の処理の際に、所定の自動改札装置で処理された入場情報、出場する出口の自動改札装置で処理される出場情報等などが含まれている。
入場情報は、入場駅名、入場口番号、入場通過時刻、カード判定結果等である。出場情報は、出場駅名、出場口番号、出場通過時刻、課金データ（プリペイド残高）などである。これらの情報は制御部１３３およびアンテナ１３２を介して、乗車券取扱い装置１１およびまたは自動改札装置１２によって読み書きされる。
【００１７】
自動改札装置１２は、自動改札装置１２ａ、１２ｂ、１２ｃを有している。自動改札装置１２は乗車券１３による改札のための装置であり、乗車券１３に書き込まれたカード情報を読み取る。
自動改札装置１２は乗車券１３に書き込まれたカード情報の目的駅情報有無情報およびまたは目的駅情報を読み書きし、使用者５０が所望する駅およびまたは出口を案内する装置である。
自動改札装置１２ａはＢ駅西口に設置されている。自動改札装置１２ｂはＢ駅東口に設置されている、自動改札装置１２ｃはＣ駅中央口に設置されている。
もちろん、自動改札装置１２ａ、１２ｂ、１２ｃの設置箇所は特に限定されるものではない。
【００１８】
自動改札装置１２ａ、１２ｂ、１２ｃは、乗車券処理部１２１、通信インターフェース１２２、記憶部１２３、時計部１２４、データ書込部１２５、改札扉１２６、表示部１２７、報知部１２８、入力部１２９を有している。
すなわち、自動改札装置１２ａ、１２ｂ、１２ｃはそれぞれほぼ同一に構成されている。
【００１９】
乗車券処理部１２１は通信インターフェース１２２、記憶部１２３、時計部１２４、データ書込部１２５、改札扉１２６、表示部１２７、報知部１２８、入力部１２９を制御する。
乗車券処理部１２１は通信インターフェース１２２を介して入力されたホストコンピュータ２０からの初期情報を記憶部１２３に記憶する。この初期情報の記憶は例えば１日毎に行われる。
乗車券処理部１２１は記憶部１２３に記憶した初期情報の時間制限情報のうちの1つである基準時間情報に基づいて時計部１２４の時間合わせを行う。
【００２０】
乗車券処理部１２１はデータ書込部１２５を制御して、データ書込部１２５にかざされた乗車券１３のカード情報を読み書きさせる。この読み書きさせる情報は、目的駅情報、目的駅情報有無情報である。
乗車券処理部１２１は乗車券１３に書き込まれている目的駅情報および出口情報とを、あらかじめ記憶部１２３に記憶した駅情報および出口特定情報とにそれぞれ対応させて、新たに記憶部１２３に記憶する。
【００２１】
乗車券処理部１２１は判定手段として機能する。
乗車券処理部１２１は記憶部１２３に記憶した駅情報と目的駅情報を比較して差異の有無を判定する。また、乗車券処理部１２１は記憶部１２３に記憶した出口情報と出口特定情報とを比較して差異の有無を判定する。
乗車券処理部１２１は改札扉１２６の開閉制御を行う。すなわち乗車券処理部１２１は改札扉開閉制御部として機能する。
【００２２】
記憶部１２３にはホストコンピュータ２０から送出された、時間情報、駅情報、出口情報が記憶される。さらに記憶部１２３には報知部１２８が報知する音声（ビープ音や合成音声）などが記憶されている。
データ書込部１２５は、乗車券１３に書き込まれた目的駅情報およびまたは目的駅情報有無情報の読み書きを行う装置である。この読み書きは非接触によって行われる。
データ書込部１２５による目的駅情報およびまたは目的駅情報有無情報の読み書きは乗車券１３をデータ書込部１２５から離れすぎない距離からかざすことで行う。
【００２３】
「離れすぎない距離」とは乗車券１３とデータ書込部１２５との間が０cm（センチメートル）〜十数cm（センチメートル）のことである。
改札扉１２６は乗車券処理部１２１に制御されて開閉される。改札扉１２６の開閉動作によって使用者５０は駅への入出場が可能となる。
表示部１２７は乗車券処理部１２１の判定に基づいて種々の情報を表示する表示装置である。表示部１２７は、例えば、液晶表示装置である。
【００２４】
表示部１２７は、乗車券処理部１２１による判定の結果、駅情報と目的駅情報との差異が有った場合、駅情報が違っている旨を表示する。
この場合の表示は例えば「降車駅が違います」や「降車駅はＢ駅です」などとすることができる。
さらに、乗車券処理部１２１による判定の結果、出口情報と出口特定情報との差異が有った場合、表示部１２７には出口情報が違っている旨が表示される。この場合の表示は例えば「改札が違います」や「改札は東口をご利用下さい」などとすることができる。
【００２５】
報知部１２８は音声を出力する出力装置である。例えばスピーカである。報知部１２８はビープ音およびまたは合成音声によって表示部１２７の表示と対応して使用者５０に判定結果の相違の有無の報知をおこなう。
合成音声の場合には、例えば「降車駅が違います」や「降車駅はＢ駅です」などとすることができる。また、「出口が違います」や「西口から改札してください」などとすることもできる。
入力部１２９は例えば押しボタン式のスイッチである。入力部１２９のスイッチ操作によって乗車券処理部１２１は報知部１２８による報知の有無を切替えることができる。入力部１２９は使用者５０によって押下などの操作がされる。
【００２６】
（各装置の動作）
次に図７を参照して乗車券取扱い装置１１の動作を説明する。すなわち図７は乗車券取扱い装置１１の動作を表すフローチャートである。
【００２７】
乗車券取扱い装置１１は目的駅情報および出口情報を乗車券１３へ書き込む際に、乗車券１３へこれらの情報を書き込むか否かの入力部１１２のスイッチ操作を監視する（ステップＳ７０１）。
入力部１１２によって情報を乗車券１３へ書き込まない操作がされた場合、乗車券取扱い装置１１は乗車券１３への書き込み処理を終了する。すなわち出口案内システムの利用はされない。
【００２８】
入力部１１２によって情報を乗車券１３へ書き込む操作がされた場合、かつ乗車券使用者５０によって乗車券１３が、データ書込部１１４へかざされた場合、乗車券取扱い装置１１は乗車券１３を認識する（ステップＳ７０２）。
なおここでは特に図示はしないが、このとき、乗車券取扱い装置１１は表示部１１３へ「乗車券をかざしてください」や「乗車券に書き込みますセットしてください」など種々の表示を行うことができる。
【００２９】
なお、乗車券取扱い装置１１は、入力部１１２によって情報を乗車券１３へ書き込む操作がなされる前に乗車券１３を認識することもできる。
次に乗車券取扱い装置１１は乗車券１３に対して目的駅情報および出口情報の書き込みを開始する（ステップＳ７０３）。
目的駅情報および出口情報の書き込み後、乗車券取扱い装置１１は乗車券１３に目的駅情報有無情報を「有」として書き込み、この動作を終了する（ステップＳ７０４）。
使用者５０は目的駅情報有無情報、目的駅情報が書き込まれた乗車券１３を用いて例えばＡ駅に設置された図示はしない所定の改札から入場する。
【００３０】
次に図８、図９を用いて自動改札装置１２退出時の動作を説明する。すなわち図８は自動改札装置１２の動作を表すフローチャートである。図９は自動改札装置１２が備える入力部１２９が押下された時の動作を示すフローチャートである。
自動改札装置１２はデータ書込部１２５に乗車券１３がかざされることで乗車券処理部１２１によって改札処理が開始される。乗車券処理部１２１はまず通常の改札処理をおこなう（ステップＳ８０１）。「通常改札処理」とは乗車券１３に書き込まれた入場情報、入場駅名、入場通過時刻のチェック、料金課金処理の少なくともいずれか一つを含む処理である。
【００３１】
通常改札処理後、乗車券処理部１２１は、乗車券１３に書き込まれた目的駅情報有無情報が「有」か「無」かの判定を行う（ステップＳ８０２）。この判定の結果「無」だった場合は乗車券処理部１２１は改札扉１２６が開くよう制御し、改札処理を終了する（ステップＳ８０７）。
本実施例の乗車券１３には目的駅情報有無情報が「有」であれば、自動改札装置１２は改札処理を続行する。すなわち乗車券処理部１２１は、時計部１２４から現在時刻を読み取り、かつ記憶部１２３に記憶した出口非案内時間情報（ａｍ７：３０−ｐｍ８：３０）を読み取ってこれらを比較する（ステップＳ８０３）。
【００３２】
ステップＳ８０３での比較の結果時計部１２４から読み取った現在時刻が、出口非案内時間情報から読み取った時刻の範囲内に該当した場合、データ書込部１２５によって目的駅情報有無情報が「有」から「無」に書き換えられる（ステップＳ８０６）。
なお、このとき書き換えられるのは目的駅情報有無情報だけではなく、乗車券１３に書き込まれた駅情報、出口情報も書き換える（すなわち消去する）ことができる。
ステップＳ８０３での比較の結果時計部１２４から読に取った現在時刻が、出口非案内時間情報から読み取った時刻の範囲外だった場合、乗車券処理部１２１は、記憶部１２３に記憶した駅情報を読み取り、かつ乗車券１３から目的駅情報を読み取る。
【００３３】
なお、乗車券１３に書き込まれた目的駅情報は、ステップＳ８０２において、目的駅情報有無情報が「有」か「無」かの判定の際に読み取られ、記憶部１２３に記憶するようにもできる。この場合には乗車券処理部１２１は、記憶部１２３から記憶した駅情報と目的駅情報を読み取って比較を行う。
同様に、乗車券１３に書き込まれた出口情報もステップＳ８０２において、目的駅情報有無情報が「有」か「無」かの判定の際に読み取られ、記憶部１２３に記憶するようにもできる。
【００３４】
乗車券処理部１２１は、読み取った駅情報と目的駅情報を比較する（ステップＳ８０４）。
ここで、自動改札装置１２ａ、１２ｂ、１２ｃとでステップＳ８０４での比較に基づくその後の処理が異なる（以下、乗車券１３に書き込まれている目的駅情報有無情報は「有」であり、目的駅は「Ｂ駅」、出口情報は「西口」として説明する。）
（１）自動改札装置１２ａ（該当駅かつ該当出口の場合）
自動改札装置１２ａが記憶する駅情報はＢ駅である。従って、乗車券１３に書き込まれた目的駅情報（Ｂ駅）との比較の結果、両者は一致する。よって、次に乗車券処理部１２１は、記憶部１２３に記憶した出口特定情報を読み取り、かつ乗車券１３から出口情報を読み取りこれらを比較する（ステップＳ８０５）。
【００３５】
本実施例では、自動改札装置１２ａが有する出口特定情報は西口、乗車券１３に書き込まれた情報は西口であるので一致する。この場合、乗車券処理部１２１は、データ書込１２５を制御して目的駅情報有無情報を「有」から「無」に書き換える（ステップＳ８０６）。もちろん、このとき書き換えられるのは目的駅情報有無情報だけではなく、乗車券１３に書き込まれた駅情報、出口情報も書き換える（すなわち消去する）こともできる。
次に乗車券処理部１２１は改札扉１２６が開くよう制御し、改札処理を終了する（ステップＳ８０７）。
【００３６】
（２）自動改札装置１２ｂ（該当駅かつ出口が該当しない場合）
自動改札装置１２ｂが記憶する駅情報はＢ駅である。従って、ステップＳ８０４での乗車券１３に書き込まれた目的駅情報（Ｂ駅）との比較の結果、両者は一致する。よって、次に乗車券処理部１２１は、記憶部１２３に記憶した出口特定情報を読み取り、かつ乗車券１３から出口情報を読み取りこれらを比較する（ステップＳ８０５）。
本実施例では、自動改札装置１２ｂが有する出口特定情報は東口、乗車券１３に書き込まれた情報は西口であるので不一致である。
【００３７】
この場合、乗車券処理部１２１は、表示部１２７およびまたは報知部１２８を制御して出口情報が違っている旨を使用者５０に報知する（ステップＳ８０８）。
次に乗車券処理部１２１は改札扉１２６を閉めるよう制御する（ステップＳ８０９）。このとき使用者５０は自動改札装置１２が有する入力部１２９を任意に押下することで閉められた改札扉１２６を開けることができる（ステップＳ９００）。すなわち、乗車券処理部１２１は入力部１２９の押下に対応して、改札扉１２６を開けるように制御する。
【００３８】
（３）自動改札装置１２ｃ（該当駅では無い場合）
本実施例では、自動改札装置１２ｃが記憶する駅情報はＣ駅である。従って、ステップＳ８０４での乗車券１３に書き込まれた目的駅情報（Ｂ駅）との比較の結果、両者は不一致である。
この場合、乗車券処理部１２１は、表示部１２７およびまたは報知部１２８を制御して駅が違っている旨を使用者５０に報知する（ステップＳ８１０）。
次に乗車券処理部１２１は改札扉１２６を閉めるよう制御する（ステップＳ８０９）。
【００３９】
このとき使用者５０は自動改札装置１２が有する入力部１２９を任意に押下することで閉められた改札扉１２６を開けることができる（ステップＳ９００）。すなわち、乗車券処理部１２１は入力部１２９の押下に対応して、改札扉１２６を開けるように制御する。ここで入力部１２９が押下され無かった場合、自動改札装置１２は、改札処理を終了する。
次に、ステップＳ９００において入力部１２９が押下された場合の自動改札装置１２の動作について説明する。
【００４０】
まず乗車券処理部１２１は入力部１２９が押下されたかどうかの判定をおこなう（ステップＳ９０１）。この判定の結果、入力部１２９が押下されなかった場合は上述の通り自動改札装置１２は、改札処理を終了する。
ステップＳ９０１での判定の結果、入力部１２９が押下された場合、乗車券処理部１２１は、表示部１２７およびまたは報知部１２８を制御して、乗車券１３をデータ書込部１２５にかざすように使用者５０に対して報知する（例えば、音声もよびまたは表示部１２７による「乗車券をかざしてください」の発音およびまたは表示）（ステップＳ９０２）。
【００４１】
次に乗車券処理部１２１はデータ書込部１２５に乗車券１３がかざされたかどうかの判定を行う（ステップＳ９０３）。乗車券処理部１２１は乗車券１３がかざされたと判定されるまでステップＳ９０３の判定処理を繰り返す（ステップＳ９０２の処理から繰り返すこともできる）。
ステップＳ９０３で、乗車券１３がかざされたと判定された場合、乗車券処理部１２１はデータ書込部１２５を制御して乗車券１３の目的駅情報有無情報を「有」から「無」に書き換える。もちろん、このとき書き換えられるのは目的駅情報有無情報だけではなく、乗車券１３に書き込まれた駅情報、出口情報も書き換えることができる。
【００４２】
次に、乗車券処理部１２１は、表示部１２７およびまたは報知部１２８を制御して、乗車券１３の情報を書き換えたことを使用者５０に対して報知する。この報知は例えば、音声およびまたは表示部１２７による「乗車券の情報を書き換えました」、「出場できます」などの発音およびまたは表示である（ステップＳ９０５）。
次に乗車券処理部１２１は改札扉１２６を開けるように制御し、改札処理を終了する。
【００４３】
以上のように、出口案内システム１によれば、乗車券１３に書き込まれた目的駅情報を自動改札装置１２が読み取って出口案内を行うので、ＧＰＳを用いることなく降車駅および出口案内を行える。
この出口案内システム１を用いれば普段駅を使用しない使用者の場合、または使用者が初めて訪ねる駅の場合でも容易に降車駅および退場出口から出場することができる。
（その他の実施形態）
本発明の実施形態は上記の実施形態に限られず拡張、変更可能であり、拡張、変更した実施形態も本発明の技術的範囲に含まれる。
【００４４】
上記実施形態では、乗車券取扱い装置１１は乗車券１３に目的駅情報有無情報および目的駅情報を書き込むのみであったがこれに限定されることなく、乗車券取扱い装置１１は入金処理の機能を備えることができる。
この場合には、乗車券取扱い装置１１は、乗車券１３に運賃（電子マネー）を蓄積する自動券売機として機能する。
また、乗車券取扱い装置１１は乗車券１３に目的駅情報有無情報を「有」として書き込むだけでなく、この情報を「有」から「無」に書き換える機能を有することもできる。また、乗車券１３に書き込まれた駅情報、出口情報も書き換える（すなわち消去する）ことができる。
【００４５】
この機能は例えば入力部１１２の所定のスイッチ操作によっておこなうことができる。
この場合の乗車券取扱い装置１１の動作を図１０に示して説明する。すなわち図１０は他の実施例にかかる乗車券取扱い装置１１による目的駅情報有無情報の書き換えを示すフローチャートである。
【００４６】
まず乗車券処理部１１１は入力部１１２の所定のボタンが押下されたかどうかの判定をおこなう（ステップＳ１００１）。この判定の結果、入力部１１２が押下されなかった場合はこの処理を行わない。
ステップＳ１００１での判定の結果、入力部１１２が押下された場合、乗車券処理部１１１は、表示部１１３を制御して、乗車券１３をデータ書込部１１４にかざすように使用者５０に対して報知する（例えば、表示部１１３による「乗車券をかざしてください」の発音およびまたは表示）（ステップＳ１００２）。
【００４７】
次に乗車券処理部１１１は乗車券処理部１１１に乗車券１３がかざされたかどうかの判定を行う（ステップＳ１００３）。乗車券処理部１１１は乗車券１３がかざされたと判定されるまでステップＳ１００３の判定処理を繰り返す。
ステップＳ１００３で、乗車券１３がかざされたと判定された場合、乗車券処理部１１１はデータ書込部１１４を制御して乗車券１３から目的駅情報有無情報を読み取る。この結果、目的駅情報有無情報が「有」であるか「無」であるかを判定する（ステップＳ１００４）。
判定の結果、目的駅情報が「無」であった場合、乗車券処理部１１１は表示部１１３を制御して、目的駅情報有無情報が「無」で有ることを使用者５０に報知する（ステップＳ１００５）。次に乗車券処理部１１１はこの処理を終了する。
【００４８】
ステップＳ１００４の判定の結果、目的駅情報が「有」であった場合、乗車券処理部１１１はデータ書込部１１４を制御して乗車券１３の目的駅情報有無情報を「有」から「無」に書き換える（ステップＳ１００６）。または、目的駅情報を消去する。
次に乗車券処理部１１１は表示部１１３を制御して、目的駅情報有無情報を「有」から「無」に書き換えたことを使用者５０に報知する（ステップＳ１００４）。次に乗車券処理部１１１は目的この処理を終了する。
【図面の簡単な説明】
【００４９】
【図１】本発明の一実施形態に係る出口案内システムを表す概念図である。
【図２】乗車券取扱い装置の構成を表すブロック図である。
【図３】乗車券１３の構成を示すブロック図である。
【図４】乗車券１３に書き込まれる情報の一部を示す概念図である。
【図５】自動改札装置１２の構成を示すブロック図である。
【図６】自動改札装置１２ａ、１２ｂ、１２ｃが記憶する情報を示す概念図で
【図７】乗車券取扱い装置１１の動作を表すフローチャートである。
【図８】自動改札装置１２の動作を表すフローチャートである。
【図９】自動改札装置１２が備える入力部１２９が押下された時の動作を示すフローチャートである
【図１０】本発明の他の実施形態に係る乗車券取扱い装置の動作を示すフローチャートである。
【符号の説明】
【００５０】
１…出口案内システム、１１…乗車券取扱い装置、１２，１２ａ，１２ｂ，１２ｃ…自動改札装置、１３…乗車券、２０…ホストコンピュータ、２１，１３３…制御部、２２，１２２…通信インターフェース、２３…データベース、５０…使用者、１１１，１２２…乗車券処理部、１１２，１２９…入力部、１１３，１２７…表示部、１１４，１２５…データ書込部、１２３…記憶部、１２４…時計部、１２６…改札扉、１２８…報知部、１３１…記憶部、１３２…アンテナ。
【図１】
2008250895.tif 000003
【図２】
2008250895.tif 000004
【図３】
2008250895.tif 000005
【図４】
2008250895.tif 000006
【図５】
2008250895.tif 000007
【図６】
2008250895.tif 000008
【図７】
2008250895.tif 000009
【図８】
2008250895.tif 000010
【図９】
2008250895.tif 000011
【図１０】
2008250895.tif 000012